(57)【要約】      （修正有）【課題】日本語を容易に入力できる入力方法を提供する。【解決手段】入力装置から予め定義されたキーコードを入力されるキーコード受信モジュールと、既設定された文字テーブルから前記入力されたキーコードにより決定される文字を抽出する制御モジュールを含む日本語入力システムに適用される日本語入力方法が開示される。前記方法によると、前記入力装置は、子音(か、さ、た、な、は、ま、ら)行、濁音(が、ざ、だ、ば)行及び半濁音(ぱ)行の代表文字をそれぞれキーボタンに割り当てて子音部を構成し、「あ」行の母音(あ、い、う、え、お)と「や」行の半母音(や、ゆ、よ)をそれぞれ個別文字でキーボタンに割り当てて母音部を構成し、前記キーボタンを操作することによって、前記制御モジュールは入力形態に応じて前記文字テーブルから該当文字を抽出する。【選択図】図７
2008293498.tif 000002
【特許請求の範囲】
【請求項１】
入力装置から予め定義されたキーコードを入力されるキーコード受信モジュールと、既設定された文字テーブルから前記入力されたキーコードにより決定される文字を抽出する制御モジュールを含む日本語入力システムに適用され、
前記入力装置は、子音(か、さ、た、な、は、ま、ら)行、濁音(が、ざ、だ、ば)行及び半濁音(ぱ)行の代表文字をそれぞれキーボタンに割り当てて子音部を構成し、「あ」行の母音(あ、い、う、え、お)と「や」行の半母音(や、ゆ、よ)をそれぞれ個別文字でキーボタンに割り当てて母音部を構成し、
前記キーボタンを操作することによって、前記制御モジュールは入力形態に応じて前記文字テーブルから該当文字を抽出することを特徴とする日本語入力方法。
【請求項２】
前記子音部それぞれは、拗音(Xや、Xゆ、Xよ)を含む８(あ、い、う、え、お、Xや、Xゆ、Xよ)段で構成され、前記母音部それぞれは、あ段、い段、う段、え段、お段、や段、ゆ段、よ段に対応することを特徴とする請求項１に記載の日本語入力方法。
【請求項３】
前記入力形態は、
前記子音、濁音、または半濁音の何れか1つを入力し、前記母音の何れか1つを順次入力することにより、これに対応して子音、濁音または半濁音の何れか1つが入力される形態、
前記子音、濁音、または半濁音の何れか1つを入力し、前記半母音の何れか1つを順次入力することにより、これに対応して拗音が入力される形態、
前記母音または前記半母音の中のボタン１つを入力することにより、これに対応して母音または半母音の中の1つが入力される形態の何れか１つであることを特徴とする請求項１に記載の日本語入力方法。
【請求項４】
「わ」行の文字「わ」及び「を」と、個別文字である促音「っ」、撥音「ん」、及び長音「ー」をそれぞれキーボタンに更に割り当て、「わ」、「を」、「っ」、「ん」及び「ー」をそれぞれ入力するようにしたことを特徴とする請求項１に記載の日本語入力方法。
【請求項５】
文章符号句点「。」をキーボタンに更に割り当て、文章符号である句点「。」を入力するようにしたことを特徴とする請求項１に記載の日本語入力方法。
【請求項６】
日本語を入力するコンピュータ入力処理を行うコンピュータプログラムが記録されたプログラム記録媒体であって、
前記入力処理は、
子音(か、さ、た、な、は、ま、ら)行、濁音(が、ざ、だ、ば)行及び半濁音(ぱ)行の代表文字をそれぞれキーボタンに割り当てて子音部を構成し、「あ」行の母音(あ、い、う、え、お)と「や」行の半母音(や、ゆ、よ)をそれぞれ個別文字でキーボタンに割り当てて母音部を構成し、「わ」行の文字「わ」及び「を」と、個別文字である促音「っ」、撥音「ん」及び長音「−」をそれぞれキーボタンに割り当てるステップと、
前記子音部それぞれは、(Xや、Xゆ、Xよ)を含む８(あ、い、う、え、お、Xや、Xゆ、Xよ)段で構成され、前記母音部それぞれは、あ段、い段、う段、え段、お段、や段、ゆ段、よ段に対応するようにするステップと、
１）前記子音、濁音、または半濁音の何れか1つを入力し、前記母音の何れか1つを順次入力することにより、これに対応して子音、濁音または半濁音の何れか1つが入力されるステップ、
２）前記子音、濁音または半濁音の何れか1つを入力し、前記半母音の何れか1つを順次入力することにより、これに対応して拗音が入力されるステップ、
３）前記母音または前記半母音の中のボタン１つを入力することにより、これに対応して母音または半母音の中の1つが入力されるステップの何れか１つのステップとを含むことを特徴とするプログラム記録媒体。
【請求項７】
日本語を入力するコンピュータ入力処理を行うコンピュータプログラムであって、
前記入力処理は、
子音(か、さ、た、な、は、ま、ら)行、濁音(が、さ、だ、ば)行、及び半濁音(ぱ)行の代表文字をそれぞれキーボタンに割り当てて子音部を構成し、「あ」行の母音(あ、い、う、え、お）と「や」行の半母音(や、ゆ、よ)をそれぞれ個別文字でキーボタンに割り当てて母音部を構成し、「わ」行の文字「わ」及び「を」と、個別文字である促音「っ」、撥音「ん」、及び長音「−」をそれぞれキーボタンに割り当てるステップと、
前記子音部それぞれは、(Xや、Xゆ、Xよ)を含む８(あ、い、う、え、お、Xや、Xゆ、Xよ)段で構成され、前記母音部それぞれは、あ段、い段、う段、え段、お段、や段、ゆ段、よ段に対応するようにするステップと、
１）前記子音、濁音、または半濁音の何れか１つを入力し、前記母音の何れか１つを順次入力することにより、これに対応して子音、濁音、または半濁音の何れか１つが入力されるステップ、
２）前記子音、濁音、または半濁音の何れか１つを入力し、前記半母音の何れか１つを順次入力することにより、これに対応して拗音が入力されるステップ、
３）前記母音または前記半母音の中のボタン１つを入力することにより、これに対応して母音または半母音の中の１つが入力されるステップの何れか１つを含むことを特徴とするコンピュータプログラム。
【発明の詳細な説明】
【技術分野】
【０００１】
本発明は日本語入力方法に関し、特に、子音行、濁音行、または半濁音行の代表文字をそれぞれキーボタンに割り当てて子音部を構成し、母音と半母音をそれぞれ個別文字でキーボタンに割り当てて母音部を構成し、キーボタン操作に応じてかな文字を入力するようにした日本語入力方法に関する。
【背景技術】
【０００２】
従来技術による日本語入力方法は、日本語入力装置であるキーボードに日本語５０音度を配列したキーボタンを押して日本語を入力する方法と、日本を英文発音で入力した後、かな文字に変換する方式で日本語を入力する方法がある。
【０００３】
例えば、図２に示すように、５０音度の文字をキーボタンに割り当てた字板は、子音と母音の場合、１つのキーボタンを押して１つの文字を入力できるが、濁音は子音を入力した後「濁点」を入力すべきであり、拗音は入力方法が複雑であって、キーボタン入力回数が増加する。
【０００４】
前記のような入力装置は、５０音度のキーボタン配列を熟知し難く、濁音と拗音の入力によるキー入力回数の増加と文字キーボタンを使用しすぎるなどといった不便な問題点がある。また、数字や記号を入力するために、英語入力モードに切り換えなければならない問題点がある。
【０００５】
また、ローマ字表記法による日本語入力方法は、日本語発音を英文に入力し、英文に該当する日本語発音を再びかな文字に変換する入力変換方式でかな文字を入力する。
【０００６】
しかしながら、かな文字のローマ字表記法による日本語入力方法は、かな文字を英文発音で入力した後、英文発音を再び日本語に変換するローマ字表記法によるかな文字入力方式は、日本語に対するローマ字表記法を別に習わなければならないという問題点と、ローマ字表記法でかな文字を入力するとき、考えの流れを断ち切るという問題点がある。
【発明の開示】
【発明が解決しようとする課題】
【０００７】
本発明は、上記のような従来技術の問題点を解決するために案出されたものであって、本発明の目的は、日本語を容易に入力できる入力方法を提供することである。
【０００８】
本発明の他の目的は、使用に便利で、且つ容易に熟知できるようにする効率的な文字配列を有する日本語入力装置を提供することである。
【課題を解決するための手段】
【０００９】
上記の目的は、子音(か、さ、た、な、は、ま、ら)行、濁音(が、ざ、だ、ば)行及び半濁音(ぱ)行の１２個の代表文字をそれぞれキーボタンに表示して子音部を構成し、「あ」行の母音(あ、い、う、え、お)と「や」行の半母音(や、ゆ、よ)それぞれを個別文字でキーボタンに割り当てて８つの母音部を構成し、前記子音部から選択された文字１つと前記母音部から選択された文字１つを順次入力するか、前記母音部の文字１つを単独入力するか、またはこれらを混用してかな文字入力を行う日本語入力方法により達成される。
【００１０】
また、「わ」行の文字「わ」、「を」の２字と、個別文字である促音「っ」、撥音「ん」、及び長音「ー」をそれぞれのキーボタンに更に割り当て、「わ」、「を」２字と、個別文字である促音「っ」、撥音「ん」及び長音「ー」１つを単独入力してかな文字を入力できる。
【００１１】
本発明の日本語入力方法を具現するための入力要素は、子音(か、さ、た、な、は、ま、ら)行、濁音(が、ざ、だ、ば)行及び半濁音(ぱ)行それぞれの５つ(あ、い、う、え、お)段を文字行「い」段の拡張文字である３字の拗音(Xや、Xゆ、Xよ)を含めた８つの拡張文字(あ、い、う、え、お、Xや、Xゆ、Xよ)段に構成する。
【００１２】
また、前記母音部の８文字(あ、い、う、え、お、や、ゆ、よ)を前記子音部を構成する１２文字(か、さ、た、な、は、ま、ら、が、ざ、だ、ば、ぱ)行の拡張文字段に対応するあ段、い段、う段、え段、お段、や段、ゆ段、よ段の入力要素に設定し、子音、濁音、半濁音及び拗音を入力できるようにする。
【００１３】
また、個別文字で割り当てられ、文字段に該当する母音(あ、い、う、え、お)と半母音(や、ゆ、よ)の中の１つを直接入力することにより、これに対応する母音または半母音の１つを入力できる。
【００１４】
また、文章符号句点「。」を、キーボタンに更に割り当て、文章符号である句点「。」を直接入力できる。
【発明を実施するための最良の形態】
【００１５】
以下、本発明に係る日本語入力方法に対して説明すると次のとおりである。
【００１６】
図１は、本発明の日本語入力方法を説明するためのコンピュータ装置の構成を概略的に示すブロック図である。
【００１７】
図１を参照すると、本発明の日本語入力方法を適用した入力システムは、ソフトウェア形態でストレージ５０に設けられ、マイクロプロセッサー１０がメモリ４０に設けられたソフトウェアをロードして実行する。入力部２０は、例えば、キーボードに対応し、表示部３０とストレージ５０は、それぞれモニターとハードディスクに対応する。前記コンピュータシステムの駆動及び応用プログラム駆動に関するのは、公知の技術であるので、説明を省略する。
【００１８】
図１Aは、入力システムが備えられた本発明の日本語入力方法を具現する機能的構成を示す。この機能モジュールは、ソフトウェアを実行する瞬間、メモリ４０にロードされる。
【００１９】
キーコード受信モジュール１２０は、キーボード２０からユーザが押したキーボタンのキーコードを受信して制御モジュール１００に伝達する。ここで、キーコードは、運営体制により予め定義されたことにする。
【００２０】
制御モジュール１００は、キーコード受信モジュール１２０よりキーコードからの入力形態を判断し、文字テーブル１１０から決定された文字を判読する。
【００２１】
ここで、入力形態は、後述のように、１) 前記子音、濁音または半濁音の何れか１つを入力し、前記母音の何れか１つを順次入力することにより、これに対応して子音、濁音または半濁音の何れか１つが入力される形態、２) 前記子音、濁音または半濁音の何れか１つを入力し、前記半母音の何れか１つを順次入力することにより、これに対応して拗音が入力される形態、または３) 前記母音または前記半母音の中のボタン１つを入力することにより、これに対応して母音または半母音の中の１つが入力される形態の何れか１つである。
【００２２】
文字出力モジュール１３０は、制御モジュール１００から伝達された文字を表示部３０に出力して表示する。
【００２３】
図７は、本発明に係る入力装置の一例を示す。ここでは、入力装置としてキーボードを例として挙げている。
【００２４】
図７に示すように、子音(か、さ、た、な、は、ま、ら)、濁音(が、ざ、だ、ば)及び半濁音(ぱ)を代表する「あ」段の文字、第１母音(あ、い、う、え、お)、半母音(や、ゆ、よ)、第２母音(わ、を)、発音「ん」、促音「っ」、及び長音「−」を含む文字がそれぞれ１つのキーボタンに割り当てられる。また、ひらがな／カタカナ変換ボタン(シフトキー)、日本語／英語変換ボタン、全角／半角変換ボタン、及び漢字変換ボタンなどを備えている。
【００２５】
以下、上記の構造を具体的に説明する。
【００２６】
図７を参照すると、入力装置の英文配列(クワーティーキーボード)中、まず、子音(か、さ、た、な、は、ま、ら)をアルファベットボタン(A、S、D、F、G、B、V)に対応して配列されるようにする。即ち、Gボタンに「か」、Fボタンに「さ」、Dボタンに「た」、Sボタンに「な」、Aボタンに「は」、Bボタンに「ま」、Vボタンに「ら」が配列される。
【００２７】
また、濁音と半濁音(が、ざ、だ、ば、ぱ）は、アルファベットボタン(Q、W、E、R、T)に対応されるようにする。即ち、Tボタンに「が」、Rボタンに「ざ」、Eボタンに「だ」、Wボタンに「ば」、Qボタンに「ぱ」が配列されるようにする。
【００２８】
好ましくは、子音(か、さ、た、な、は、ま、ら)、濁音と半濁音(が、ざ、だ、ば、ぱ)で構成される子音群は、左側に配列されたキーボタンに集中的に配置できる。
【００２９】
一方、第１母音(あ、い、う、え、お)は、５つのアルファベットボタン(U、I、J、K、L)に対応される。即ち、Uボタンに「あ」、Iボタンに「い」、Jボタンに「う」、Kボタンに「え」、Lボタンに「お」が配列されるようにする。
【００３０】
また、半母音(や、ゆ、よ)は、３つのアルファベット(Y、H、N)に対応される。即ち、Yボタンに「や」、Hボタンに「ゆ」、Nボタンに「よ」がそれぞれ対応されるようにする。また、２つの第２母音(わ、を)は、アルファベットボタン(O、P)に対応される。即ち、Oボタンには「わ」、Pボタンには「を」がそれぞれ配列される。
【００３１】
ここで、好ましくは、第１母音(あ、い、う、え、お)と半母音(や、ゆ、よ）から構成される母音群と第２母音(わ、を)は子音グループとの区別が明確になるように右側に配列されたキーボタンに集中的に配置できる。
【００３２】
また、個別文字である撥音「ん」と促音「っ」は、アルファベット文字が割り当てられたほかのボタン中のキーボードの左側下段のZ、Xボタンに割り当てられる。即ち、Zボタンには、撥音「ん」、Xボタンには促音「っ」がそれぞれ配列される。他の個別文字である長音「−」は、母音が割り当てられて配列されたキーボードの右側下段Mボタンに配列されるようにする。
【００３３】
また、文章符号である句点「。」は、子音が割り当てられて配列されたキーボードの左側下段アルファベットボタンCボタンに配列されるようにする。
【００３４】
ここで、キーボタンの配置は、前記の実施形態に限定されず、任意的に配列できるのはもちろんである。
【００３５】
上記の実施形態のような構成の日本語入力装置を参照して、日本語を入力する方法に対して図５〜図７を参照して説明する。
【００３６】
まず、図５を参照すると、本発明に係る日本語入力方法は、２つで運用できる。ステップS５００において、図５に示すキーボタンを１つだけ入力し、かな文字を画面に表示する直接入力方式であるか否かを判定する。
【００３７】
判定結果、直接入力方式である場合、ステップS５２０において、該当文字に対応するキーボタンを押して入力する。
【００３８】
一方、直接入力方式ではない場合は、ステップS５１０の順次(行段)入力方式に進み、ステップS５３０において、子音群の子音１つと母音群の母音１つを順次入力する。
【００３９】
上記のように、本発明によると、直接入力過程(ステップS５２０)と順次(行段)入力過程(ステップS５３０)を経ながら、かな文字５０音度の基本文字と変形文字を含む日本語かな文字を容易に早く入力できる。
【００４０】
図７を参照すると、直接入力方式が適用される文字、即ち、入力装置のキーボタンを１つ押して直接入力される文字は、５つの母音(あ、い、う、え、お)、３つの半母音(や、ゆ、よ)、２つの第２母音(わ、を)、撥音(ん)、促音(っ)、及び長音(ー)を含めて１３字である。
【００４１】
また、行段入力方式で入力される文字は、図３と図４に示す日本語文字テーブルからわかるように、総９６字である。
【００４２】
７つの子音(か、さ、た、な、は、ま、ら)の５つ段に該当する子音３５字と、４つの濁音(が、ざ、だ、ば)の５つ段に該当する濁音２０字と、１つの半濁音(ぱ)の５つ段に該当する半濁音５字と、７つの子音(か、さ、た、な、は、ま、ら)行の「い」段の文字(き、し、ち、に、ひ、み、り)と、４つの濁音(が、ざ、だ、ば)行の「い」段の文字(ぎ、じ、ぢ、び)と、１つの半濁音(ぱ)行の「い」段の文字(ぴ)に半母音(や、ゆ、よ)を小さい文字でそれぞれ付けて表現する拗音３６字で区分される。
【００４３】
上記で説明した日本語入力方法を図６を参照して更に詳しく説明すると、次のとおりである。
【００４４】
ステップS６０２において、子音と母音がそれぞれキーボタンに割り当てられる。ステップS６０４において、入力しようとする文字が順次入力方式で入力される文字であるかを判断し、直接入力方式で入力される文字であれば、図７の入力装置のキーボタンを１回押して希望する文字を入力する(ステップS６０６)。
【００４５】
入力しようとする文字が順次入力方式で入力される文字であれば、図７の左側に配列されている子音、濁音、または半濁音に該当する文字行キーボタン１つを先に入力する(ステップS６０８)。次に、図７の右側に配列され、文字段に対応する母音または半母音キーボタン１つを入力すると(ステップS６１０)、図３及び図４に示すように、入力された文字行と文字段に対応し、日本語文字テーブルに表記された特定文字の中の１つで表示装置の画面に出力される(ステップS６１２)。
【００４６】
文字を続いて入力するかを判断し(ステップS６１４)、続いて入力しようとすると、リターンし、これ以上入力しなければ、終了する。
【００４７】
以下では、日本語入力方法を実際例を挙げて詳しく説明する。
【００４８】
＜個別文字(単一キー)入力方法＞
まず、１つのキーボタンを選択して直接入力する方式を説明する。
【００４９】
上記のように、１つのキーボタンを押して入力される文字は、第１母音(あ、い、う、え、お)の５字、半母音(や、ゆ、よ)の３字、第２母音(わ、を)の２字、そして、撥音、促音及び長音がある。
【００５０】
ここで、長音は、２つの方式で入力できる。一つ目の入力方法は、先に入力した先行文字の段に該当する母音(あ、い、う、え、お)のキーボタンを更に押して該当文字の長音を入力する。
【００５１】
二つ目の入力方法は、先行文字を入力した後、英文(M)ボタンに割り当てられた長音(−)ボタンを直接押す方法である。
【００５２】
この時、入力される長音は、ひらがな入力の場合、先行文字の段に該当する母音が入力されて表記され、カタカナ入力の場合、先行文字の後に長音(−)が直接表記される。
【００５３】
次に、２つのキーボタンを順次入力する方式を説明する。基本的に、図５と図６において、左側縦の「行」に並んだ文字をまず入力し、上側横の「段」に並んだ文字を連続入力して、これらが交差する位置に表示される文字を入力するようにする。
【００５４】
＜子音入力方法＞
子音入力方法を具体的に説明すると、図７の左側に配列された子音(か、さ、た、な、は、ま、ら)の何れか１つのキーボタンをまず入力して文字行の１つを選択し、図７の右側に配列された段に該当する母音(あ、い、う、え、お)の何れか１つのキーボタンを入力する。
【００５５】
例えば、か行の文字(か、き、く、け、こ)をそれぞれ入力する方法を説明すると、まず、「か」行の英文(G)ボタンに割り当てられた子音「か」行のキーボタンを押して「か」行を入力した後、段に該当する英文(U)ボタンに表記された母音「あ」段のキーボタンを押すと、「か」が入力される。
【００５６】
同様に、「き」を入力するためには、英文(G)ボタンに割り当てられた「か」行のキーボタンを押して英文(D)ボタンに表記された「い」段のキーボタンを押すと、「き」が入力され、英文(G)ボタンに割り当てられた「か」行のキーボタンを押して英文(J)ボタンに割り当てられた「う」段のキーボタンを押すと、「く」が入力され、英文(G)ボタンに割り当てられた「か」行のキーボタンを押して英文(K)ボタンに割り当てられて表記された「え」段のキーボタンを押すと、「け」が入力され、英文(G)ボタンに割り当てられた「か」行のキーボタンを押して英文(L)ボタンに割り当てられた「お」段のキーボタンを押すと、「こ」が入力される。
【００５７】
＜濁音／半濁音入力方法＞
濁音及び半濁音入力方法は、前記子音入力方式のような方式で濁音(が、ざ、だ、ば）または半濁音(ぱ)行キーボタンをまず入力した後、母音(あ、い、う、え、お)の中の該当するキーボタンを入力する。
【００５８】
例えば、濁音「ざ」を入力するためには、英文(R)ボタンに割り当てられた濁音「ざ」行のキーボタンを押して「ざ」を選択した後、英文(U)ボタンに表記された母音「あ」段のキーボタンを押すと、濁音「ざ」が入力される。濁音「じ」を入力するためには、英文(R)ボタンに割り当てられた濁音「ざ」行のキーボタンを押して「ざ」を選択した後、英文(L)ボタンに表記された母音「い」段のキーボタンを押すと、濁音「じ」が入力される。
【００５９】
同様に、濁音「ず」を入力するためには、英文(R)ボタンに割り当てられた濁音「ざ」行のキーボタン押して「ざ」を選択した後、母音「う」段のキーボタンを押すと濁音「ず」が入力され、濁音「ぜ」を入力するためには、英文(R)ボタンに割り当てられた濁音「ざ」行のキーボタンを押して「ざ」を選択した後、母音「え」段のキーボタンを押すと、濁音「ぜ」が入力され、濁音「ぞ」を入力するためには、英文(R)ボタンに割り当てられた濁音「ざ」行のキーボタンを押して、「ざ」を選択した後、母音「お」段のキーボタンを押すと、濁音「ぞ」が入力される。
【００６０】
他の濁音入力方法も上記方法と同様に、濁音キーボタンの何れか１つを先に選択して押し、母音キーボタンの中の１つを選択して押すと、濁音文字が入力される。
【００６１】
＜拗音入力方法＞
最後に、拗音入力方法に対して説明する。説明の便以上、拗音を第１拗音、第２拗音、第３拗音に区分した。
【００６２】
第１拗音は、７つの子音(か、さ、た、な、は、ま、ら)行の「い」段の文字(き、し、ち、に、ひ、む、り)に半母音(や、ゆ、よ)を小さい文字でそれぞれ付けて表現する２１字があり、第２拗音は、４つの濁音(が、ざ、だ、ば)行の「い」段の文字(ぎ、じ、ぢ、び)に半母音(や、ゆ、よ)を小さい文字でそれぞれ付けて表現する１２字があり、第３拗音は、１つの半濁音(ぱ)行の「い」段の文字(ぴ)に半母音(や、ゆ、よ)を小さい文字でそれぞれ付けて表現する３字がある。
【００６３】
キーボタンに配列された子音、濁音または半濁音行キーボタンの何れか１つを先に入力し、キーボタンにそれぞれ１つずつ割り当てられた半母音のキーボタンの何れか１つを順次入力して３６字の拗音を入力できる。
【００６４】
第１拗音入力方法をみると、子音(か、さ、た、な、は、ま、ら)の何れか１つを入力し、半母音(や、ゆ、よ)の何れか１つを入力すると、第１拗音文字１つが入力される。
【００６５】
例えば、図７を参照すると、英文(G)ボタンに割り当てられた子音「か」行のキーボタンを押して「か」行を入力した後、段に該当する英文(Y)ボタンに表記された半母音「や」のキーボタンを押すと「きゃ」が入力され、英文(G)ボタンに割り当てられた子音「か」が表記されたボタンを押して、英文(H)ボタンに表記された半母音「ゅ」のキーボタンを押すと「きゅ」が入力され、英文(G)ボタン割り当てられた子音「か」行のキーボタンを押して、英文(N)ボタンに半母音「ょ」のキーボタンを押すと「きょ」が入力される。
【００６６】
第２拗音入力方法を見ると、濁音(が、ざ、だ、ば)の何れか１つをを先に入力し、半母音(や、ゆ、よ)の何れか１つを入力すると、第２拗音文字１つが入力される。
【００６７】
例えば、英文(R)ボタンに割り当てられた濁音「ざ」のキーボタンを押して、英文(Y)ボタンに割り当てられた半母音「や」のキーボタンを押すと「じゃ」が入力され、英文(R)ボタンに割り当てられた濁音「ざ」のキーボタンを押して、英文(H)ボタンに割り当てられた半母音「ゅ」のキーボタンを押すと「じゅ」が入力され、英文(R)ボタンに割り当てられた濁音「ざ」のキーボタンを押して、英文(N)ボタンに割り当てられた半母音「ょ」のキーボタンを押すと「じょ」が入力される。
【００６８】
また、第３拗音入力方法によると、半濁音(ぱ)を先に入力し、半母音(や、ゆ、よ)の何れか１つを入力すると、第３拗音文字１つが入力される。
【００６９】
例えば、英文(Q)ボタンに割り当てられた半濁音(ぱ)のキーボタンを押して、英文(Y)ボタンに割り当てられた半母音「ゃ」のキーボタンを押すと「ぴゃ」が入力され、英文(Q)ボタンに割り当てられた半濁音(ぱ)のキーボタンを押して、英文(H)ボタンに割り当てられた半母音「ゅ」のキーボタンを押すと「ぴゅ」が入力され、英文(Q)ボタンに割り当てられた半濁音(ぱ)のキーボタンを押して、英文(N)ボタンに割り当てられた半母音「ょ」のキーボタンを押すと「ぴょ」が入力される。
【００７０】
一方、文章符号句点「。」を英文(C)ボタンに割り当て、英文(C)ボタンを押すと、句点「。」が入力できる。また、シフトボタンは、ひらがなとかたかなの変換機能を行うように機能を付与できる。
【００７１】
以上の本発明は、上記実施形態により限定されなく、当業者によって多様な変更及び変形をもたらすことができ、このような変更と変形が本発明の範囲を逸脱しない限り、本発明に属する。
【００７２】
上記の日本語入力方法によると、文板を容易に熟知できるので、日本語を容易に入力できるという効果がある。
【００７３】
また、シフトキーボタン、濁点キーボタンなどが不要であり、不要なキーボタンの使用を最小化できるため、使用が便利であり、且つ日本語を早く入力できるという効果がある。
【図面の簡単な説明】
【００７４】
【図１】コンピュータ装置の構成を概略的に示したブロック図
【図１Ａ】入力システムが備えられた本発明の日本語入力方法を具現する機能的構成を  示す図
【図２】従来技術に係る日本語入力装置
【図３】本発明に係る日本語文字表(清音及び第１拗音)を示す図
【図４】本発明に係る日本語文字表(濁音及び第２拗音)を示す図
【図５】本発明に係る日本語入力方法を説明するための概略的なフローチャート
【図６】本発明に係る日本語入力方法を説明するための具体的なフローチャート
【図７】本発明に係る日本語入力装置の文字割り当てキーボタンを示す図
【図１】
2008293498.tif 000003
【図１Ａ】
2008293498.tif 000004
【図２】
2008293498.tif 000005
【図３】
2008293498.tif 000006
【図４】
2008293498.tif 000007
【図５】
2008293498.tif 000008
【図６】
2008293498.tif 000009
【図７】
2008293498.tif 000010